【事件の表示】
　平成　５年特許願第　８９２３４号「ディスク再生装置」拒絶査定不服審判事件〔平成　６年　９月３０日出願公開、特開平　６−２７５０５６〕について、次のとおり審決する。
【結　論】
　本件審判の請求は、成り立たない。
【理　由】
１．手続の経緯
　本願は平成５年３月２４日に出願されたものであって、その請求項１〜６に係る発明は、平成１５年８月１９日付手続補正で補正された明細書の特許請求の範囲の請求項１〜６に記載されたとおりのものであって、その請求項１に係る発明（以下、「本願発明」という。）は、次のとおりのものである。
　なお、平成１６年１月１３日付けの手続補正は、前置審査にける平成１６年４月２６日付け補正の却下の決定により却下された。
　
「再生専用ディスクを識別する識別情報と、上記再生専用ディスク上の位置を示す位置情報とを関連して記憶するメモリと、
　インデックス設定の指示をするための入力手段とを有し、
　再生専用ディスクの再生時にインデックス設定の指示があった場合には、上記メモリは、上記指示の際に再生されていたデータに対応する再生専用ディスク上の位置情報と上記再生専用ディスクを識別する識別情報とを関連付けて記憶することを特徴とするディスク再生装置。」　
　　
　
２．引用例
１）第１引用例
　これに対して、原審において通知した拒絶の理由で引用された特開昭６３−３１６３９１号公報（以下、「第１引用例」という。）には、図面とともに次の技術事項が記載されている。　
　
（ａ）
「（１）ディスク上の任意の再生位置の位置情報をインデックス情報として入力するインデックス情報入力手段と、
　前記入力されるインデックス情報を複数個記憶可能なメモリ手段と、
　前記メモリ手段に記憶されるインデックス情報のうち任意のものを選択して読み出すインデックス情報選択手段と、
　前記メモリ手段から読み出されたインデックス情報で示されるディスク上位置を検索して、その位置から再生を開始させる制御手段と
　を具備してなるディスク再生装置。」（特許請求の範囲）
　
（ｂ）
「〔発明が解決しようとする問題点］
　前記従来の再生位置指定操作方法によれば、曲やチャプタの始めの位置を指定する場合には曲番やチャプタ番号で指定すればよいので入力する桁数は短く指定操作はそれほどめんどうではないが、より細かく曲中や場面中の位置を指定する場合には、曲番＋インデックス番号、フレーム番号、時間情報などで指定しなければならないので、入力する桁数が長くなり、指定操作が非常にめんどうであった。しかも、桁数が多くなるため、再生しようとする位置の位置情報が何であったかいちいち憶えておくことはできず、そのつどディスクの説明書に書かれている位置情報のリストを見なおしたり、あるいは自分で位置情報をメモしておかなければならなかった。
　ビデオテープレコーダなどでは、再生中に任意の位置でインデックス信号として特殊な信号をテープに打ち込んでおき、検索を行なう場合、希望する再生位置までのインデックス信号の通過個数を指定し、早送りや巻戻しでインデックス信号の個数をカウントして指定された個数に達したところで再生を開始するようにしたものがあった。このようなものでは、ランダムアクセスの位置指定は再生しようとする位置までのインデックス信号の通過個数で指定すればよいので、指定操作は簡単であるが、ＣＤやＶＤのように再生専用でディスク自体にインデックス信号を書き込めないものには適用できなかった。
　この発明は、前記従来の技術における欠点を解決して、ＣＤやＶＤ等の再生専用のディスクにおいても任意の位置を簡単な操作で指定して検索することができるディスク再生装置を提供しようとするものである。」（公報第２頁左上欄第１２行〜同左下欄第４行）
　
（ｃ）
「〔実施例〕
　この発明をＣＤプレーヤに適用した場合の一実施例を第３図に示す。
　ディスク１０はディスクモータ１２により回転駆動され、光ピツクアップ１４から照射されるレーザ光１６により記録面の信号が検出される。
　この信号（ビット検出信号）はプリアンプ１８を介してサーボ制御回路２０に入力される。サーボ制御回路２０はビット検出信号からフォーカスエラーおよびトラッキングエラーを検出し、フォーカス制御信号およびトラッキング制御信号を出力し、アンプ２２．２４を介して光ピツクアップ１４内のアクチユエータ（図示せず）を駆動し、これらのエラーを修正する。また、トラッキングエラーが大きい場合にはフィード制御信号を出力し、アンプ２６を介してフィードモータ２８を駆動し、光ピツクアップ１４をディスク１０の径方向に移動させる。
　ビット検出信号は、信号処理回路３０に送られ、水晶発振器３２からの基準クロックを用いて、正規の３Ｔ〜１１Ｔのパルス幅の信号に直される。また、ここでクロック信号が再生される。前記サーボ１１１制御回路２０は、このクロツク信号と水晶発振器３２からの基準クロックを位相比較して、その位相差に応じたディスク制御信号を出力し、アンプ３４を介してディスクモータ１２をＰＬＬ制御し、規定回転数にロックさせる。
　信号処理回路３０ではビット検出信号をＥＦＭ復調した後、これをＲＡＭ３６に一旦記憶してデインタリーブおよびジッタ吸収を行ない、さらにエラー訂正を行なう。
　ＲＡＭ３６から読み出されるデータはＤ／Ａ変換器３８でアナログ信号に変換され、アナログ回路４０でフィルタリング等の処理が行なわれて出力される。
　マイクロコンピュータ４２はこの発明による検索制御その他システム全体の制御を行なう。
　ＲＡＭ４４は、インデックス情報等の記憶を行なう。操作盤４６はこの発明による検索機能その他各種の機能を実現するための操作を行なう。表示器４８はこの発明による検索機能その他の機能における各種表示を行なう。これら操作盤４６、表示器４８は、機器本体側あるいはリモコン側等に設けられる。
　ここで、操作盤４６および表示器４８のうちこの発明に関連した部分の構成例を第４図に示す。操作盤４６は”ＩＮＤＥＸ”の表示が付されたインデックスキー５０とテンキー５２とを具えている。表示器４８は、７セグメントのＬＣＤやＬＥＤ等で構成され、インデックス情報の識別情報としてのインデックス番号を表示する部分５４とディスク上位置情報（例えば時間情報）を表示する部分５６とで構成されている。」（公報第３頁左上欄第１３行〜同右下欄第４行）
　
（ｄ）
「（１）　インデックス情報の記憶操作
　１（実際は、丸１）　インデックス情報を自動人力する場合
　インデックスキー５０を前記第２図のタイミング付与手段５として利用する。すなわち、ディスク再生をしていて（再生モード、ボーズモード、早送り再生モード、早戻し再生モード等）インデックスしたい曲中部分や場面位置があったら、その位置でインデックスキー５０を押す。すると、その時点でディスクから再生されている位置情報がマイクロコンピュータ４２を介してインデックス情報としてＲＡＭ４４に記憶される。インデックスキー５０を押すたびにこの動作が縁り返されて、複数のインデックス情報がＲＡＭ４４に記憶される。」（公報第３頁右下欄第７行〜同第２０行）
　
（ｅ）
「また、一度記憶したインデックス情報をＲＡＭにバックアップ記憶させて蓄積しておけば、ディスクをリードインデータなどで識別する手段を付加することで、あるディスクを再生ずる際、以前に一度でもインデックス情報を記憶したものであれば、その蓄積されたインデックス情報ですぐ検索操作を開始させることもできる。」（公報第５頁左上欄第４行〜同１０行）
　
　　上記第１引用例の記載事項及び図面を総合勘案すると、第１引用例には、結局、次の発明が記載されている。
　
「再生専用のディスク１０をリードインデータなどで識別する手段と、上記再生専用のディスク上の任意の再生位置の位置情報をインデックス情報として記憶可能なＲＡＭ４４と、
　インデックスキー５０とを有し、
　再生専用のディスク１０を再生していてインデックスしたい曲中部分や場面位置があった際に、その位置でインデックスキー５０を押すと、その時点でディスクから再生されている位置情報がマイクロコンピュータ４２を介してインデックス情報としてＲＡＭ４４に記憶され、また、インデックス情報をＲＡＭ４４にバックアップし、上記識別する手段により以前に一度でもインデックス情報を記憶したものであれば、その蓄積されたインデックス情報ですぐ検索操作を開始させることもできる
　ＣＤプレーヤ。」
　
　
３．対　比
　
　本願発明と上記第１引用例に記載された発明とを対比する。
　
　第１引用例に記載された発明における「再生専用のディスク１０」、「インデックス情報」、「ＲＡＭ４４」、「インデックスキー５０」、及び「ＣＤプレーヤ」は、本願発明における「再生専用ディスク」、「位置情報」、「メモリ」、「入力手段」、及び「ディスク再生装置」に相当する。
　
　第１引用例に記載された発明においても、「再生専用のディスク１０をリードインデータなどで識別する手段」および「インデックス情報をＲＡＭ４４にバックアップし、上記識別する手段により以前に一度でもインデックス情報を記憶したものであれば、その蓄積されたインデックス情報ですぐ検索操作を開始させることもできる」とあり、リードインデータなどからなる情報を用いて再生専用ディスクの識別を行っていることから、第１引用例に記載された発明においても本願発明における「再生専用ディスクを識別する識別情報」に相当するものが存在すると認められる。　　
　　　
　一致点
　
「再生専用ディスクを識別する識別情報と、上記再生専用ディスク上の位置を示す位置情報を記憶するメモリと、
　インデックス設定の指示をするための入力手段とを有し、
　再生専用ディスクの再生時にインデックス設定の指示があった場合には、上記メモリは、上記指示の際に再生されていたデータに対応する再生専用ディスク上の位置情報を記憶するディスク再生装置。」
　
一方、次の各点で相違する。
　
（相違点１）
　本願発明では、単一のメモリに識別情報と位置情報を関連付けて記憶しているのに対して、第１引用例ではこの点が特には示されていない点。　
　
４．当審の判断
　
　そこで、上記相違点について検討する。
１）相違点１について
　一つのメモリに、ディスクを識別する識別情報と該ディスクに関する情報を関連付けて記憶することは周知慣用手段（例えば、原審の拒絶理由に引用した特開平４−３４４３７９号公報（特に、段落番号【０００９】〜【００１０】）、特開昭６３−１１２８８４号公報（特に、公報第２頁左下欄第６行〜同第２０行）を参照）であるから、第１引用例に記載された発明においても、メモリにデイスクに関する情報である位置情報と再生専用ディスクを識別する識別情報とを関連付けて併せて記憶することは当業者が容易に想到なし得たものである。
　　
　　　
５．むすび
　
　以上のとおりであって、本願発明は、上記第１引用例に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。